(57)【要約】【課題】  集塵の設備費が安価にでき、掃除の手間もかかりにくい床の集塵装置を提供することにある。【解決手段】  床３の集塵装置１であって、室内の壁２と接する床３の隅部に沿って集塵用の連続した溝４が設けられ、該溝４の上は室内空間または床面にある塵埃が落下可能な孔開きの蓋板５で覆われていることを特徴としている。【選択図】  図１
2006152623.tif 000002
【特許請求の範囲】
【請求項１】
室内の壁と接する床の隅部に沿って集塵用の連続した溝が設けられ、該溝の上は室内空間または床面にある塵埃が落下可能な孔開きの蓋板で覆われていることを特徴とする床の集塵装置。
【請求項２】
前記溝の一側壁面は、傾斜して床面と連なり、溝幅が底部より上に向かって広がっていることを特徴とする請求項1記載の床の集塵装置。
【請求項３】
前記溝内に溝の長手方向に沿って流れる気流を発生させ、溝内に落下した塵埃を気流の下流方向に向かって吹き寄せる送風手段が設けられていることを特徴とする請求項１または２記載の床の集塵装置。
【請求項４】
前記送風手段は、床下に設置された送風機と、該送風機と集塵用の溝とを連結するダクトとからなることを特徴とする請求項３記載の床の集塵装置。
【請求項５】
前記床は、四辺に壁を備えた平面視長方形であり、前記溝は該床の四辺に沿って設けられ、溝の相対向する二つの隅角部のそれぞれに直交する二方向の溝内に向かう気流の吹出し口が設けられていることを特徴とする請求項３または４項記載の床の集塵装置。
【請求項６】
前記溝は、床から取り外し可能な樋で形成されていることを特徴とする請求項１〜５のいずれか１項記載の床の集塵装置。
【発明の詳細な説明】
【技術分野】
【０００１】
本発明は、床の集塵装置に関する。
【背景技術】
【０００２】
従来、特許文献１に記載されているような収塵装置や、特許文献２に記載されているようなビルトインクリーナーが知られている。特許文献１に記載の収塵装置は、室内の床の一側部全体に亘って吸込口を形成し、この吸込口に室内の塵埃を吸い込む収塵器を配設し、この収塵器をセントラルクリーナーに接続したものである。また、特許文献２に記載のビルトインクリーナーは、室内の壁面の貫通穴にホース差込み口を取り付け、このホース差込み口に連通した吸気口を前面に有し、モーターファンを内蔵した真空装置をホース差込み口と壁面に対向して取り付け、ホース差込み口に集塵袋を有するホース延長管を差し込み、掃除ができるようにしたものである。
【特許文献１】実開昭５８−１０９４４４号公報
【特許文献２】特開平５−２３２６７号公報
【発明の開示】
【発明が解決しようとする課題】
【０００３】
しかしながら、上記特許文献１に記載の収塵装置にあっては、収塵器を連結パイプによりセントラルクリーナーに接続するので、設備費が高価になるという問題があった。また、特許文献２に記載のビルトインクリーナーにあっては、モーターファンを内蔵した真空装置をホース差込み口と壁面に対向して取り付けるので、この場合も特許文献１と同様、設備費が高価になるという問題があった。
【０００４】
本発明の課題は、集塵の設備費が安価にでき、掃除の手間もかかりにくい床の集塵装置を提供することにある。
【課題を解決するための手段】
【０００５】
請求項１記載の発明は、室内の壁と接する床の隅部に沿って集塵用の連続した溝が設けられ、該溝の上は室内空間または床面にある塵埃が落下可能な孔開きの蓋板で覆われていることを特徴とする床の集塵装置である。
【０００６】
上記請求項１記載の発明において、集塵用の溝は、長手方向に対し底部に勾配を付けるようにしてもよい。このようにすると、溝に落下した塵埃が下流方向に移動し、塵埃の除去が容易になる。また、集塵用の溝は、水等が溝に落ちてもよいように、耐水性のよい合成樹脂製の樋(例えば、ポリ塩化ビニル)で形成するとよい。この際、合成樹脂製の樋は、静電気が発生して埃が付着し易いので、静電気防止剤を塗布しておくか、帯電防止剤入りの合成樹脂を使用する。さらにまた、溝の内側に沿って紙などを敷いておき、埃のたまった紙ごと捨てるようにしてもよい。
【０００７】
また、上記請求項１記載の発明において、集塵用の溝は、床や壁との接する部分をパッキング等で塞ぎ、熱の出入りがないよう高気密にするのがよい。集塵用の溝を埃取りとして使わないときは、電気配線コードを収納するようにしてもよい。この際、溝の中にコンセントを設けておいてもよい。
【０００８】
さらにまた、上記請求項１記載の発明において、孔開きの蓋板は、グレーチングタイプ、パンチングメタルタイプ、金網タイプ等、いずれであってもよい。
【０００９】
請求項２記載の発明は、請求項1記載の床の集塵装置において、前記溝の一側壁面は、傾斜して床面と連なり、溝幅が底部より上に向かって広がっていることを特徴とする。
【００１０】
請求項３記載の発明は、請求項１または２記載の床の集塵装置において、前記溝内に溝の長手方向に沿って流れる気流を発生させ、溝内に落下した塵埃を気流の下流方向に向かって吹き寄せる送風手段が設けられていることを特徴とする。
【００１１】
請求項４記載の発明は、請求項３記載の床の集塵装置において、前記送風手段は、床下に設置された送風機と、該送風機と集塵用の溝とを連結するダクトとからなることを特徴とする。
【００１２】
請求項５記載の発明は、請求項３または４記載の床の集塵装置において、前記床は、四辺に壁を備えた平面視長方形であり、前記溝は該床の四辺に沿って設けられ、溝の相対向する二つの隅角部のそれぞれに直交する二方向の溝内に向かう気流の吹出し口が設けられていることを特徴とする。
【００１３】
請求項６記載の発明は、請求項１〜５のいずれか１項記載の床の集塵装置において、前記溝は、床から取り外し可能な樋で形成されていることを特徴とする。
【発明の効果】
【００１４】
請求項１記載の発明の床の集塵装置によると、室内の壁と接する床の隅部に沿って集塵用の連続した溝が設けられ、該溝の上は室内空間または床面にある塵埃が落下可能な孔開きの蓋板で覆われているので、人が動くことで埃が床の隅部に溜まり、蓋板の孔から溝に落ちて集められる。この際、ほうき等で床の塵埃を掃き集め溝に落とすようにしてもよい。従って、セントラルクリーナーやビルトインクリーナーのような高価な設備がなくても集塵でき、集塵の設備費が安価にでき、掃除の手間もかかりにくい。そして、溝の上は蓋板で覆われているので、埃の舞い上がりがなく、定常的に室内の埃の量を少なくでき、ハウスダストの少ない健康によい室内環境にできる。
【００１５】
請求項２記載の発明によると、さらに、前記溝の一側壁面は、傾斜して床面と連なり、溝幅が底部より上に向かって広がっているので、埃は溝の底の狭い部分に集まり易く、集まった埃は絡まって単独の状態よりも舞い上がり難くなり、床面からスムースに多くの埃を収集できる。
【００１６】
請求項３記載の発明によると、さらに、前記溝内に溝の長手方向に沿って流れる気流を発生させ、溝内に落下した塵埃を気流の下流方向に向かって吹き寄せる送風手段が設けられているので、溝内に落下した塵埃は気流の弱くなった箇所に集められ、蓋板を外してその部分の埃を取るだけで掃除の手間が省ける。一箇所に集まった塵埃は相互に絡まって、舞い上がり難くなっているため、ハウスダストの少ない健康によい室内環境にできる。
【００１７】
請求項４記載の発明によると、さらに、前記送風手段は、床下に設置された送風機と、該送風機と集塵用の溝とを連結するダクトとからなるので、比較的安価な設備で溝内に落下した塵埃を強制的に一箇所に集めることができる。
【００１８】
請求項５記載の発明によると、さらに、前記床は、四辺に壁を備えた平面視長方形であり、前記溝は該床の四辺に沿って設けられ、溝の相対向する二つの隅角部のそれぞれに直交する二方向の溝内に向かう気流の吹出し口が設けられているので、溝に落ちた塵埃は他の二つの隅角部に吹き寄せられ、最も吹出し口から遠いこの二つの隅角部に塵埃が集積し易い。適当な時に蓋板を外してその部分の埃を取るだけで掃除の手間が省ける。
【００１９】
請求項６記載の発明によると、さらに、前記溝は、床から取り外し可能な樋で形成されているので、溝の塵埃を取る際、樋自体を取り外して溜まった塵埃をゴミ箱に捨てればよいし、溝の掃除もし易い。
【発明を実施するための最良の形態】
【００２０】
図１〜図８は、本発明の一実施の形態であって、図１（ａ）は床の集塵装置が設けられた部屋を切り欠いて示す斜視図、（ｂ）は要部を拡大した断面図である。図２は図１に示す部屋の平面図である。図３は送風手段を溝と分解して示す斜視図である。図４は下流方向に溝深さが深くなる溝が取り付けられた床の斜視図である。図５は各種タイプの蓋板の斜視図である。図６は集塵装置の作用効果を説明する部屋の説明図である。図７は蓋板を取り外して埃の集塵状態を説明する部屋の平面図である。図８はコンセントを取り付けた溝部の断面図である。図において、１は床の集塵装置、２は壁、３は床、４は溝、５は蓋板である。
【００２１】
本実施の形態は、床３の集塵装置１であって、図１に示すように、室内の壁２と接する床３の隅部に沿って集塵用の連続した溝４が設けられている。この溝４の上は、室内空間または床面にある塵埃が落下可能な孔開きの蓋板５で覆われている。床３は、床下地であるパーチクルボード３１と、その上に貼り付けられたフローリング３２とから構成されている。６は床梁であって、壁２はこの床梁６に支持されている。７は床小梁であって、床３を支持固定するために設けられている。
【００２２】
上記本実施の形態において、集塵用の溝４は、水等が溝に落ちてもよいように、耐水性のよい合成樹脂製の樋(例えば、ポリ塩化ビニル製)で形成されている。集塵用の溝４は、図２に示すように、下流方向の溝深さＨ２を上流方向の溝深さＨ１より大きくして溝底に長手方向に対し勾配を付けるようにしてもよい。このようにすると、溝４に落下した塵埃が下流方向に移動し、塵埃の除去が容易になる。      
【００２３】
また、上記集塵用の溝４は、図１（ｂ）に示すように、床３下方の床小梁７や壁２を支える床梁６の接する部分をパッキング８，８等で塞ぎ、熱の出入りがないよう高気密に取り付けられている。なお、集塵用の溝４内や、樋を設置する領域と樋との間に電気配線コードを収納するようにしてもよい。このような場合、溝４の中にコンセントＣを設けておくと便利である(図８参照)。そして、蓋板５を床３のフローリング３２と同じ柄にした蓋板５Ｃに取り替えると、目立たなくてよい。
【００２４】
孔開きの蓋板５は、図５（ａ）に示すように、グレーチングタイプであるが、図５（ｂ）に示すようなパンチングメタルタイプの蓋板５Ａであってもよいし、図５（ｃ）に示すような金網タイプの蓋板５Ｂであってもよい。
【００２５】
本実施の形態の床３の集塵装置１において、図１（ｂ）に示すように、前記溝４の一側壁面４１は、傾斜して床３と連なり、溝幅が底部４２より上に向かって広がっている。そして、蓋板５の上面は床３の表面と面一になされている。
【００２６】
また、図３と図４に示すように、本実施の形態の床３の集塵装置１において、前記溝４内に溝４の長手方向に沿って流れる気流を発生させ、溝４内に落下した塵埃を気流の下流方向に向かって吹き寄せる送風手段９が設けられている。
【００２７】
前記送風手段９は、床下に設置された送風機１０と、この送風機１０と集塵用の溝４とを連結するダクト１１とから構成されている(図４参照)。なお、送風手段９に換気手段や冷暖房等の空調装置の送風手段を用いてもよい。更に、床下空間を空調装置の設置場所に利用したり、床下空間を室内へ送る空気の温度調整領域としてもよい。すると、部屋の上部に換気や温調等の空調装置が不要となる。
【００２８】
床３は、四辺に壁２を備えた平面視長方形であり、溝４はこの床３の四辺に沿って設けられ、溝４の相対向する二つの隅角部のそれぞれに直交する二方向の溝４内に向かう気流の吹出し口１２，１２が設けられている(図３参照)。気流の吹出し口１２は、図４に示すように、中空箱の隣接する２側面に開口され、下面にはダクト１１の接続口が設けられている。
【００２９】
上記のように構成された本実施の形態の床３の集塵装置１によると、以下のような作用効果がある。
【００３０】
（１）室内の壁２と接する床３の隅部に沿って集塵用の連続した溝４が設けられ、溝４の上は室内空間または床面にある塵埃が落下可能な孔開きの蓋板５で覆われているので、図６に示すように、人Ｈが動くことで埃が床３の隅部に溜まり、蓋板５の孔から溝４に落ちて集められる。この際、ほうき等で床３の塵埃を掃き集め溝４に落とすようにしてもよい。従って、セントラルクリーナーやビルトインクリーナーのような高価な設備がなくても集塵でき、集塵の設備費が安価にでき、掃除の手間もかかりにくい。そして、溝４の上は蓋板５で覆われているので、埃の舞い上がりがなく、定常的に室内の埃の量を少なくでき、ハウスダストの少ない健康によい室内環境にできる。
【００３１】
（２）さらに、前記溝４の一側壁面４１は、傾斜して床面と連なり、溝幅が底部より上に向かって広がっているので、床面からスムースに多くの埃を収集できる(図１参照)。
【００３２】
（３）さらに、前記溝４内に溝４の長手方向に沿って流れる気流を発生させ、溝４内に落下した塵埃を気流の下流方向に向かって吹き寄せる送風手段９が設けられているので、溝４内に落下した塵埃は一箇所に集められ、蓋板５を外してその部分の埃を取るだけで掃除の手間が省ける(図７参照)。
【００３３】
（４）さらに、前記送風手段９は、床下に設置された送風機１０と、送風機１０と集塵用の溝４とを連結するダクト１１とからなるので、比較的安価な設備で溝４内に落下した塵埃を強制的に一箇所に集められる。
【００３４】
（５）さらに、前記床３は、四辺に壁２を備えた平面視長方形であり、前記溝４は床３の四辺に沿って設けられ、溝４の相対向する二つの隅角部のそれぞれに直交する二方向の溝４内に向かう気流の吹出し口１２が設けられているので、溝４に落ちた塵埃は他の二つの隅角部に吹き寄せられ、蓋板５を外してその部分の埃を取るだけで掃除の手間が省ける(図７参照)。
【００３５】
以上、本発明を実施の形態に基づいて説明してきたが、本発明は上記実施の形態に限られるものではなく、本発明の要旨を逸脱しない範囲の設計の変更等があっても本発明に含まれる。例えば、上記本実施の形態において、溝４を形成する樋は床３に固定されたものであったが、床３から取り外し可能な樋で形成してもよい。すると、溝４の塵埃を取る際、樋自体を取り外して溜まった塵埃をゴミ箱に捨てればよい。
【産業上の利用可能性】
【００３６】
本発明の床の集塵装置を用いると、埃っぽさを感じず、快適な住環境を実現できる。
【図面の簡単な説明】
【００３７】
【図１】本発明の一実施の形態であって、（ａ）は床の集塵装置が設けられた部屋を切り欠いて示す斜視図、（ｂ）は要部を拡大した断面図である。
【図２】図１に示す部屋の平面図である。
【図３】送風手段を溝と分解して示す斜視図である。
【図４】下流方向に溝深さが深くなる溝が取り付けられた床の斜視図である。
【図５】各種タイプの蓋板の斜視図である。
【図６】集塵装置の作用効果を説明する部屋の説明図である。
【図７】蓋板を取り外して埃の集塵状態を説明する部屋の平面図である。
【図８】コンセントを取り付けた溝部の断面図である。
【符号の説明】
【００３８】
１    床の集塵装置
２    壁
３    床
４    溝
５，５Ａ，５Ｂ    蓋板
９    送風手段
１０  送風機
１１  ダクト
１２  気流の吹出し口
【図１】
2006152623.tif 000003
【図２】
2006152623.tif 000004
【図３】
2006152623.tif 000005
【図４】
2006152623.tif 000006
【図５】
2006152623.tif 000007
【図６】
2006152623.tif 000008
【図７】
2006152623.tif 000009
【図８】
2006152623.tif 000010